(57)【要約】化粧品のオーダーメイドシステム（１０）は、被検出体の色彩を検出する色彩検出手段（１２）と、調合する化粧品の色彩を入力する入力手段と、入力手段に入力された色彩となる化粧品を複数種の化粧品組成物から調合するための配合比を生成する配合比設定手段（１４）と、配合比設定手段（１４）で生成された配合比となるように、複数種の化粧品組成物をそれぞれ容積式のポンプを介して吐出して混合することにより、化粧品を調合する化粧品調合装置（２０）とを備える。これにより、顧客が所望する色彩に適合した化粧品を効率的に供給できる。さらに、色彩検出手段（１２）によって検出された色彩を表示する表示手段を備えるのが好ましい。
2015004903.tif 000002
【特許請求の範囲】
【請求項１】
被検出体の色彩を検出する色彩検出手段と、
調合する化粧品の色彩を入力する入力手段と、
前記入力手段に入力された色彩となる化粧品を複数種の化粧品組成物から調合するための配合比を生成する配合比設定手段と、
前記配合比設定手段で生成された配合比となるように、複数種の化粧品組成物をそれぞれ容積式のポンプを介して吐出して混合することにより、化粧品を調合する化粧品調合装置とを備える、化粧品のオーダーメイドシステム。
【請求項２】
請求項１に記載の化粧品のオーダーメイドシステムであって、
当該オーダーメイドシステムが、さらに、前記色彩検出手段によって検出された色彩を表示する表示手段を備える、化粧品のオーダーメイドシステム。
【請求項３】
請求項１または２に記載の化粧品のオーダーメイドシステムであって、
前記色彩検出手段が、前記被検出体である顧客の肌を撮像する撮像手段と、前記撮像手段が撮像した画像データを解析することによって顧客の肌の色彩を検出する画像解析装置とを備える、化粧品のオーダーメイドシステム。
【請求項４】
請求項１または２に記載の化粧品のオーダーメイドシステムであって、
前記被検出体が、顧客の肌とともに色見本を撮像した写真の画像データであり、
前記色彩検出手段が、前記画像データにおける色見本の色彩に基づいて前記画像データの色彩を補正する色彩補正手段と、前記色彩補正手段によって処理された前記画像データを解析することによって顧客の肌の色彩を検出する画像解析装置とを備える、化粧品のオーダーメイドシステム。
【請求項５】
請求項１または２に記載の化粧品のオーダーメイドシステムであって、
前記被検出体が、顧客の肌とともに色見本を撮像した写真であり、
前記色彩検出手段が、前記写真を画像データとして取り込むスキャナーと、前記画像データにおける色見本の色彩に基づいて前記画像データの色彩を補正する色彩補正手段と、前記色彩補正手段によって処理された前記画像データを解析することによって顧客の肌の色彩を検出する画像解析装置とを備える、化粧品のオーダーメイドシステム。
【請求項６】
請求項１〜５に記載の化粧品のオーダーメイドシステムであって、
当該オーダーメイドシステムが、さらに、顧客に供給した複数種の化粧品組成物の残部の分量から、当該各分量となるように調合された化粧品サンプルの色彩を求める残部解析手段を備える、化粧品のオーダーメイドシステム。
【請求項７】
請求項１または２に記載の化粧品のオーダーメイドシステムであって、
前記被検出体が、化粧品サンプルであり、
前記色彩検出手段が、前記化粧品サンプルから色彩を検出する測色計を備える、化粧品のオーダーメイドシステム。
【請求項８】
請求項１〜７のいずれかに記載の化粧品のオーダーメイドシステムであって、
当該オーダーメイドシステムが、さらに、前記色彩検出手段によって検出された色彩に基づいて推奨される色彩を求める推奨色彩解析手段を備え、
前記表示手段が、さらに、前記推奨色彩解析手段によって求められた推奨色彩を表示する、化粧品のオーダーメイドシステム。
【請求項９】
請求項８に記載の化粧品のオーダーメイドシステムであって、
前記推奨色彩解析手段が、前記色彩検出手段によって検出された色彩に基づき、顧客情報、流行色または季節を考慮して推奨される色彩を求める、化粧品のオーダーメイドシステム。
【請求項１０】
請求項８または９に記載の化粧品のオーダーメイドシステムであって、
当該オーダーメイドシステムが、さらに、前記色彩検出手段によって検出された色彩、または、前記推奨色彩解析手段によって求めた色彩を前記入力手段に入力する入力補助手段を備える、化粧品のオーダーメイドシステム。
【請求項１１】
請求項１〜１０のいずれかに記載の化粧品のオーダーメイドシステムであって、
前記配合比設定手段が、前記化粧品組成物の添加量に当該添加量における表色値の各成分の変化量を紐付けたレコードが格納されている変化量データベースと、前記入力手段に入力された色彩の表色値と基準色の表色値との差に基づき、前記変化量データベースから前記化粧品組成物の添加量および前記表色値の各成分の変化量を選択しつつ前記化粧品組成物の添加量を決定することによって配合比を生成するアプリケーションとを備える、化粧品のオーダーメイドシステム。
【請求項１２】
請求項１１に記載の化粧品のオーダーメイドシステムであって、
前記変化量データベースは、前記レコードの前記化粧品組成物の添加量が前記容積式のポンプの分解能ごとに変化する、化粧品のオーダーメイドシステム。
【請求項１３】
請求項１〜１２のいずれかに記載の化粧品のオーダーメイドシステムであって、
前記容積式のポンプが、一軸偏心ねじポンプである、化粧品のオーダーメイドシステム。
【請求項１４】
被検出体の色彩を検出する色彩検出手段と、
調合する化粧品の色彩を入力する入力手段と、
前記入力手段に入力された色彩となる化粧品を複数種の化粧品組成物から調合するための配合比を生成する配合比設定手段と、
前記配合比設定手段で生成された配合比となるように、複数種の化粧品組成物をそれぞれ容積式のポンプを介して吐出して混合することにより、化粧品を調合する化粧品調合装置とを備える、化粧品の調合システム。
【請求項１５】
請求項１４に記載の化粧品の調合システムであって、
前記被検出体が、被写体を撮像した写真の画像データであり、
前記被写体が、人肌または色彩サンプルであり、
前記色彩検出手段が、前記画像データを解析することによって前記被写体の色彩を検出する画像解析装置を備える、化粧品の調合システム。
【請求項１６】
請求項１４に記載の化粧品の調合システムであって、
前記被検出体が、被写体とともに色見本を撮像した写真の画像データであり、
前記被写体が、人肌または色彩サンプルであり、
前記色彩検出手段が、前記画像データにおける色見本の色彩に基づいて前記画像データの色彩を補正する色彩補正手段と、前記色彩補正手段によって処理された前記画像データを解析することによって前記被検出体の色彩を検出する画像解析装置とを備える、化粧品の調合システム。
【請求項１７】
請求項１４〜１６のいずれかに記載の化粧品の調合システムであって、
当該調合システムが、さらに、化粧品サンプルの作製に供された複数種の化粧品組成物の残部の分量から、当該各分量となるように調合された前記化粧品サンプルの色彩を求める残部解析手段を備える、化粧品の調合システム。
【請求項１８】
請求項１４に記載の化粧品の調合システムであって、
前記被検出体が、化粧品サンプルまたは色彩サンプルであり、
前記色彩検出手段が、前記被検出体から色彩を検出する測色計を備える、化粧品の調合システム。
【請求項１９】
請求項１４〜１８に記載の化粧品の調合システムであって、
前記配合比設定手段が、前記化粧品組成物の添加量に当該添加量における表色値の各成分の変化量を紐付けたレコードが格納されている変化量データベースと、前記入力手段に入力された色彩の表色値と基準色の表色値との差に基づき、前記変化量データベースから前記化粧品組成物の添加量および前記表色値の各成分の変化量を選択しつつ前記化粧品組成物の添加量を決定することによって配合比を生成するアプリケーションとを備える、化粧品の調合システム。
【請求項２０】
請求項１９に記載の化粧品の調合システムであって、
前記変化量データベースは、前記レコードの前記化粧品組成物の添加量が前記容積式のポンプの分解能ごとに変化する、化粧品の調合システム。
【請求項２１】
請求項１４〜２０のいずれかに記載の化粧品の調合システムであって、
前記容積式のポンプが、一軸偏心ねじポンプである、化粧品の調合システム。
【発明の詳細な説明】
【技術分野】
【０００１】
本発明は、複数種の化粧品組成物を混合することによって化粧品を調合する装置を備えた化粧品のオーダーメイドシステムおよび調合システムに関する。さらに詳しくは、顧客等が所望する色彩に適合した化粧品を効率的に供給可能な化粧品のオーダーメイドシステムおよび調合システムに関する。
【背景技術】
【０００２】
化粧品の販売形態として、多種の商品見本を店頭に置く販売形態がある。この販売形態では、顧客は商品見本をもとに商品を選択して購入する。また、顧客は、商品見本に加えて販売員の説明や助言をもとに商品を選択して購入する。しかし、多種の商品見本を店頭に置く販売形態は、商品見本の種類に限度があり、顧客が所望する色彩や顧客の肌質に適合した化粧品を供給するのが困難であった。加えて、機能性（例えば、維持力、保湿性またはカバー力）や質感（例えばパール感またはマット感）に関する要望に適合した化粧品を供給するのは、より困難であった。【０００３】
ここで、「維持力」とは、例えば、水または指による擦りや、涙、汗、皮脂に対する化粧品の維持力を意味する。また、「カバー力」とは、例えば色むらや毛穴を隠蔽する能力を意味する。【０００４】
化粧品がファンデーションの場合、顧客は、顧客の肌の色彩を基準に化粧品の色彩を選択する傾向がある。また、コンシーラーの場合、顧客は、顧客の肌の色彩および使用箇所（例えばシミやクマ、傷跡など）の色彩を基準に化粧品の色彩を選択する傾向がある。口紅やアイシャドウ、チークの場合、顧客は、顧客の肌の色彩を基準に顧客の嗜好を考慮して化粧品の色彩を選択する傾向がある。このように選択される化粧品の色彩は、顧客の化粧品の購入において重要な要素となることから、顧客が所望する色彩に適合する化粧品を提供することが特に重要となる。【０００５】
顧客が所望する色彩や顧客の肌質等に適合した化粧品を供給するため、オーダーメイド方式の販売形態がある。この販売形態では、販売員が目視したり聞き取りしたりすることにより、顧客が所望する色彩や顧客の肌質とともに機能性や質感に関する要望を取り纏め、取り纏めた情報を基に化粧品を調合する。【０００６】
このようなオーダーメイド方式の販売形態に関して従来から種々の提案がなされており、例えば、特許文献１および２がある。特許文献１には、化粧品のオーダーメイドシステムが提案されており、そのオーダーメイドシステムでは、販売員が顧客の化粧品の要望を聞く店舗に小規模化粧品工場が併設される。その小規模化粧品工場は、顧客の要望に最適の処方に基づいて素材を調合して少量の化粧品バルクを調製する手段、および、化粧品バルクを容器等に入れる手段を備える。【０００７】
その実施形態では、販売員であるアドバイザーおよびカラリストが、カウンセリングにより顧客の要望を聞き、化粧品のアイテム、色、質感を決定し、カラリストが処方をオーダーメイドシステムに入力するとしている。また、小規模化粧品工場で、製造責任技術者が、カラリストによって持ち込まれた色見本と、処方に従って、化粧品組成物を調製手段によって調合する。【０００８】
また、特許文献２では、短時間でカラー化粧品を顧客に引き渡すため、カラー化粧品を注文に応じて混合する化粧品調合装置が提案されている。その化粧品調合装置は、顧客の最適処方に関する操作指令を受け取る手段、化粧品組成物を収容する複数のディスペンサ、操作指令に応じて所定の化粧品組成物を所定の濃度で調合室に計り入れる手段、および、容器内に計り入れた調合品をカラー化粧品として顧客に引き渡す手段を含む。ディスペンサに用いられるポンプとして、Ｄｏｓｉｅｒｔｅｃｈｎｉｋ  ＧｍｂＨから入手できるＰｒｏＭｌｎｅｎｔ  Ｇａｍｍａ／４ポンプ（いわゆるダイヤフラム式ポンプ）が特に適するとしている。
【先行技術文献】
【特許文献】
【０００９】
【特許文献１】特開２００１−１２６１４０号公報
【特許文献２】特表平９−５０２１７２号公報
【発明の概要】
【発明が解決しようとする課題】
【００１０】
オーダーメイド方式の化粧品の販売形態では、販売員が目視したり聞き取りしたりすることにより、顧客が所望する色彩や顧客の肌質とともに機能性や質感に関する要望を取り纏め、取り纏められた情報を基に化粧品を調合する。また、化粧品の色彩は、顧客の化粧品の購入において重要な要素となることから、顧客が所望する色彩に適合する化粧品を提供することが特に重要となる。【００１１】
しかしながら、販売員が目視したり聞き取りしたりすることにより、顧客が所望する色彩を取り纏める作業は、販売員の経験に基づく作業にならざるを得ず、販売員の個人技能に依存する。このため、作業に時間を要したり、調合された化粧品の色彩と顧客が所望する色彩とが乖離したりする場合がある。【００１２】
前述の特許文献１で提案されるオーダーメイドシステムは、販売員であるアドバイザーおよびカラリストが、カウンセリングにより顧客の要望を聞き、化粧品のアイテム、色彩、質感を決定し、カラリストが処方をオーダーメイドシステムに入力するとしている。このため、顧客が所望する色彩を取り纏める作業は、販売員の経験に基づく作業にならざるを得ず、販売員の個人技能に依存し、取り纏め作業に時間を要したり、調合された化粧品の色彩と顧客が所望する色彩とが乖離したりする場合がある。また、製造責任技術者が色見本に従って化粧品組成物を調合するので、技術者の経験に基づく作業にならざるを得ず、技術者の個人技能に依存し、調合作業に時間を要したり、調合された化粧品の色彩と顧客が所望する色彩とが乖離したりする場合がある。【００１３】
また、特許文献２で提案される化粧品調合装置は、複数のディスペンサにより所定の濃度で化粧品を混合できる。このため、製造責任技術者が色見本に従って化粧品組成物を調合する必要がなく、調合作業に要する時間を低減できるとともに、調合作業に起因して調合された化粧品の色彩と顧客が所望する色彩とが乖離したりする問題を防止できる。しかしながら、顧客が所望する色彩を取り纏める作業は、依然として販売員の経験に基づく作業にならざるを得ず、販売員の個人技能に依存し、取り纏め作業に時間を要したり、取り纏め作業に起因して調合された化粧品の色彩と顧客が所望する色彩とが乖離したりする場合がある。【００１４】
本発明は、このような状況に鑑みてなされたものであり、顧客等が所望する色彩に適合した化粧品を効率的に供給可能な化粧品のオーダーメイドシステムおよび調合システムを提供することを目的とする。
【課題を解決するための手段】
【００１５】
本発明の要旨は、次の通りである：【００１６】
（１）被検出体の色彩を検出する色彩検出手段と、調合する化粧品の色彩を入力する入力手段と、前記入力手段に入力された色彩となる化粧品を複数種の化粧品組成物から調合するための配合比を生成する配合比設定手段と、前記配合比設定手段で生成された配合比となるように、複数種の化粧品組成物をそれぞれ容積式のポンプを介して吐出して混合することにより、化粧品を調合する化粧品調合装置とを備える、化粧品のオーダーメイドシステム。【００１７】
（２）上記（１）に記載の化粧品のオーダーメイドシステムであって、当該オーダーメイドシステムが、さらに、前記色彩検出手段によって検出された色彩を表示する表示手段を備える、化粧品のオーダーメイドシステム。【００１８】
（３）上記（１）または（２）に記載の化粧品のオーダーメイドシステムであって、
前記色彩検出手段が、前記被検出体である顧客の肌を撮像する撮像手段と、前記撮像手段が撮像した画像データを解析することによって顧客の肌の色彩を検出する画像解析装置とを備える、化粧品のオーダーメイドシステム。【００１９】
（４）上記（１）または（２）に記載の化粧品のオーダーメイドシステムであって、前記被検出体が、顧客の肌とともに色見本を撮像した写真の画像データであり、前記色彩検出手段が、前記画像データにおける色見本の色彩に基づいて前記画像データの色彩を補正する色彩補正手段と、前記色彩補正手段によって処理された前記画像データを解析することによって顧客の肌の色彩を検出する画像解析装置とを備える、化粧品のオーダーメイドシステム。【００２０】
（５）上記（１）または（２）に記載の化粧品のオーダーメイドシステムであって、前記被検出体が、顧客の肌とともに色見本を撮像した写真であり、前記色彩検出手段が、前記写真を画像データとして取り込むスキャナーと、前記画像データにおける色見本の色彩に基づいて前記画像データの色彩を補正する色彩補正手段と、前記色彩補正手段によって処理された前記画像データを解析することによって顧客の肌の色彩を検出する画像解析装置とを備える、化粧品のオーダーメイドシステム。【００２１】
（６）上記（１）〜（５）に記載の化粧品のオーダーメイドシステムであって、当該オーダーメイドシステムが、さらに、顧客に供給した複数種の化粧品組成物の残部の分量から、当該各分量となるように調合された化粧品サンプルの色彩を求める残部解析手段を備える、化粧品のオーダーメイドシステム。【００２２】
（７）上記（１）または（２）に記載の化粧品のオーダーメイドシステムであって、前記被検出体が、化粧品サンプルであり、前記色彩検出手段が、前記化粧品サンプルから色彩を検出する測色計を備える、化粧品のオーダーメイドシステム。【００２３】
（８）上記（１）〜（７）のいずれかに記載の化粧品のオーダーメイドシステムであって、当該オーダーメイドシステムが、さらに、前記色彩検出手段によって検出された色彩に基づいて推奨される色彩を求める推奨色彩解析手段を備え、前記表示手段が、さらに、前記推奨色彩解析手段によって求められた推奨色彩を表示する、化粧品のオーダーメイドシステム。【００２４】
（９）上記（８）に記載の化粧品のオーダーメイドシステムであって、前記推奨色彩解析手段が、前記色彩検出手段によって検出された色彩に基づき、顧客情報、流行色または季節を考慮して推奨される色彩を求める、化粧品のオーダーメイドシステム。【００２５】
（１０）上記（８）または（９）に記載の化粧品のオーダーメイドシステムであって、当該オーダーメイドシステムが、さらに、前記色彩検出手段によって検出された色彩、または、前記推奨色彩解析手段によって求めた色彩を前記入力手段に入力する入力補助手段を備える、化粧品のオーダーメイドシステム。【００２６】
（１１）上記（１）〜（１０）のいずれかに記載の化粧品のオーダーメイドシステムであって、前記配合比設定手段が、前記化粧品組成物の添加量に当該添加量における表色値の各成分の変化量を紐付けたレコードが格納されている変化量データベースと、前記入力手段に入力された色彩の表色値と基準色の表色値との差に基づき、前記変化量データベースから前記化粧品組成物の添加量および前記表色値の各成分の変化量を選択しつつ前記化粧品組成物の添加量を決定することによって配合比を生成するアプリケーションとを備える、化粧品のオーダーメイドシステム。【００２７】
（１２）上記（１１）に記載の化粧品のオーダーメイドシステムであって、前記変化量データベースは、前記レコードの前記化粧品組成物の添加量が前記容積式のポンプの分解能ごとに変化する、化粧品のオーダーメイドシステム。【００２８】
（１３）上記（１）〜（１２）のいずれかに記載の化粧品のオーダーメイドシステムであって、前記容積式のポンプが、一軸偏心ねじポンプである、化粧品のオーダーメイドシステム。【００２９】
（１４）被検出体の色彩を検出する色彩検出手段と、調合する化粧品の色彩を入力する入力手段と、前記入力手段に入力された色彩となる化粧品を複数種の化粧品組成物から調合するための配合比を生成する配合比設定手段と、前記配合比設定手段で生成された配合比となるように、複数種の化粧品組成物をそれぞれ容積式のポンプを介して吐出して混合することにより、化粧品を調合する化粧品調合装置とを備える、化粧品の調合システム。【００３０】
（１５）上記（１４）に記載の化粧品の調合システムであって、前記被検出体が、被写体を撮像した写真の画像データであり、前記被写体が、人肌または色彩サンプルであり、前記色彩検出手段が前記画像データを解析することによって前記被写体の色彩を検出する画像解析装置を備える、化粧品の調合システム。【００３１】
（１６）上記（１４）に記載の化粧品の調合システムであって、前記被検出体が、被写体とともに色見本を撮像した写真の画像データであり、前記被写体が、人肌または色彩サンプルであり、前記色彩検出手段が、前記画像データにおける色見本の色彩に基づいて前記画像データの色彩を補正する色彩補正手段と、前記色彩補正手段によって処理された前記画像データを解析することによって前記被検出体の色彩を検出する画像解析装置とを備える、化粧品の調合システム。【００３２】
（１７）上記（１４）〜（１６）のいずれかに記載の化粧品の調合システムであって、当該調合システムが、さらに、化粧品サンプルの作製に供された複数種の化粧品組成物の残部の分量から、当該各分量となるように調合された前記化粧品サンプルの色彩を求める残部解析手段とを備える、化粧品の調合システム。【００３３】
（１８）上記（１４）に記載の化粧品の調合システムであって、前記被検出体が、化粧品サンプルまたは色彩サンプルであり、前記色彩検出手段が、前記被検出体から色彩を検出する測色計とを備える、化粧品の調合システム。【００３４】
（１９）上記（１４）〜（１８）に記載の化粧品の調合システムであって、前記配合比設定手段が、前記化粧品組成物の添加量に当該添加量における表色値の各成分の変化量を紐付けたレコードが格納されている変化量データベースと、前記入力手段に入力された色彩の表色値と基準色の表色値との差に基づき、前記変化量データベースから前記化粧品組成物の添加量および前記表色値の各成分の変化量を選択しつつ前記化粧品組成物の添加量を決定することによって配合比を生成するアプリケーションとを備える、化粧品の調合システム。【００３５】
（２０）上記（１９）に記載の化粧品の調合システムであって、前記変化量データベースは、前記レコードの前記化粧品組成物の添加量が前記容積式のポンプの分解能ごとに変化する、化粧品の調合システム。【００３６】
（２１）上記（１４）〜（２０）のいずれかに記載の化粧品の調合システムであって、前記容積式のポンプが、一軸偏心ねじポンプである、化粧品の調合システム。
【発明の効果】
【００３７】
本発明の化粧品のオーダーメイドシステムは、被検出体の色彩を検出する色彩検出手段を備えることから、顧客が所望する色彩を的確かつ効率的に決定できる。このため、顧客が所望する色彩の取り纏め作業に要する時間を低減でき、調合された化粧品の色彩と顧客が所望する色彩とが乖離するのを抑制できる。また、化粧品調合装置が化粧品組成物を容積式のポンプを介して吐出して混合するので、調合作業に要する時間を低減でき、調合作業に起因して調合された化粧品の色彩と顧客が所望する色彩とが乖離するのを防止できる。さらに、任意量の化粧品を販売することが可能となる。【００３８】
本発明の化粧品の調合システムは、被検出体の色彩を検出する色彩検出手段を備えることから、作業者等が所望する色彩を的確かつ効率的に決定できる。このため、所望の色彩の取り纏め作業に要する時間を低減でき、調合された化粧品の色彩と所望の色彩とが乖離するのを抑制できる。また、化粧品調合装置が化粧品組成物を容積式のポンプを介して吐出して混合するので、調合作業に要する時間を低減でき、調合作業に起因して調合された化粧品の色彩と所望の色彩とが乖離するのを防止できる。さらに、任意量の化粧品を調合することが可能となる。
【図面の簡単な説明】
【００３９】
【図１】図１は、本発明に係る化粧品のオーダーメイドシステムの構成例を示すブロック図である。
【図２】図２は、色彩分類データベースを説明するためのカラーマップを示す模式図である。
【図３】図３は、化粧品調合装置の構成例の外観を模式的に示す斜視図である。
【図４】図４は、化粧品調合装置の構成例の内部を模式的に示す正面図である。
【図５】図５は、化粧品調合装置の構成例の内部を模式的に示す側面図である。
【図６】図６は、化粧品調合装置の構成例における化粧品組成物の流路を模式的に示す上面図である。
【図７】図７は、化粧品調合装置のポンプとして好適な一軸偏心ねじポンプの構成例を模式的に示す断面図である。
【図８】図８は、本発明に係る化粧品のオーダーメイドシステムの処理フロー例を示す図であり、同図（ａ）は主処理、同図（ｂ）は色彩の決定処理、同図（ｃ）は保湿性等の決定処理、同図（ｄ）は配合比の生成処理をそれぞれ示す。
【図９】図９は、顧客に供給する複数種の化粧品組成物の一例を示す斜視図である。
【図１０】図１０は、変化量データベースの構成例を示す模式図である。
【図１１】図１１は、ケース間の色差ΔＥを示すグラフである。
【図１２】図１２は、サンプル作製キットを色彩決定に用いる場合の処理フロー例を示す図である。
【発明を実施するための形態】
【００４０】
［本発明の化粧品のオーダーメイドシステム］
以下に、本発明の化粧品のオーダーメイドシステムについて、図面を参照しながら説明する。
【００４１】
図１は、本発明に係る化粧品のオーダーメイドシステムの構成例を示すブロック図である。同図に示すオーダーメイドシステム１０は、被検出体の色彩を検出する色彩検出手段１２、顧客の肌質を判定する肌質判定手段１３、化粧品組成物の配合比を生成する配合比設定手段１４、および、化粧品を調合する化粧品調合装置２０を備える。
【００４２】
また、オーダーメイドシステム１０は、パーソナルコンピュータ１１を備え、そのパーソナルコンピュータ１１に、色彩検出手段１２、肌質判定手段１３、配合比設定手段１４および化粧品調合装置２０が接続されている。このパーソナルコンピュータ１１には、色彩検出手段１２により検出された被検出体の色彩が送信され、その色彩をアプリケーションが受信してディスプレイに表示する。同様に、肌質判定手段１３により判定された肌質がパーソナルコンピュータ１１に送信され、その肌質をアプリケーションが受信してディスプレイに表示する。また、パーソナルコンピュータ１１は、配合比設定手段１４への入出力装置の役割を果たす。さらに、パーソナルコンピュータ１１は、化粧品調合装置２０の入力装置の役割を果たす。
【００４３】
化粧品調合装置２０は、複数種の化粧品組成物が貯留されており、それらの化粧品組成物を任意量だけ吐出するための容積式のポンプが、化粧品組成物ごとに設けられている。また、化粧品調合装置２０は、吐出された複数の化粧品組成物を混合する機能を有する。このため、化粧品調合装置２０は、容積式のポンプを動作させることにより、複数の化粧品組成物をそれぞれ任意量だけ吐出して混合すれば、所望の配合比である化粧品を必要なだけ調合することができる。
【００４４】
色彩検出手段１２は、被検出体を対象として色彩を検出する。ここで、被検出体は、化粧品の販売方式によって変化し、顧客の肌や顧客の肌を撮像した写真、顧客の肌を撮像した写真の画像データ、化粧品サンプルが該当する。顧客の肌を撮像した写真は、顧客の肌とともに色見本を撮像した写真とすることができる。同様に、顧客の肌を撮像した写真の画像データは、顧客の肌とともに色見本を撮像した写真の画像データとすることができる。一方、残部解析手段を用い、顧客に供給した複数種の化粧品組成物の残部から化粧品サンプルの色彩を検出することもできる。
【００４５】
色彩検出手段１２は、被検出体が顧客の肌の場合、顧客の肌（被検出体）を撮像する撮像手段と、その撮像手段が撮像した画像データを解析することによって顧客の肌の色彩を検出する画像解析装置とで構成できる。撮像手段としては顧客の肌といった被検出体を撮像可能な光学機器が適用可能であり、例えば、ＣＣＤ方式やＣＭＯＳ方式のカメラを採用できる。このカメラには、顧客の肌等を撮像する際に外部からの光の影響を遮断し、一定の条件下で撮像することができるように、外部光を遮断する覆いが取り付けられていても良い。
【００４６】
また、色彩検出手段１２は、被検出体が顧客の肌を撮像した写真の場合、その写真を画像データとして取り込むスキャナーと、スキャナーで取り込まれた画像データから顧客の肌の色彩を検出する画像解析装置とで構成できる。被検出体が顧客の肌を撮像した写真の画像データの場合、その画像データから顧客の肌の色彩を検出する画像解析装置のみで構成できる。
【００４７】
顧客に供給した複数種の化粧品組成物の残部を利用する場合、および、被検出体を化粧品サンプルとする場合は、事前に、顧客に複数種の化粧品組成物からなるサンプル作製キットを供給する。
【００４８】
図９は、顧客に供給する複数種の化粧品組成物の一例を示す斜視図である。同図に示すサンプル作製キット５０は、パレット５１と、複数種の化粧品組成物（５２ａ〜５２ｆ）とを備える。パレット５１には、複数の凹部が設けられており、その凹部には色彩が異なる化粧品組成物（５２ａ〜５２ｆ）がそれぞれ格納され、それらの化粧品組成物（５２ａ〜５２ｆ）はいずれも所定量だけ格納されている。
【００４９】
このようなパレット５１を供給された顧客は、格納された複数種の化粧品組成物を混合することにより、所望の色彩の化粧品サンプルを作製する。そして、パレット５１に残存する各化粧品組成物（化粧品組成物の残部）を利用してサンプルの色彩を検出する、または、被検出体として、作製した所望の色彩のサンプルを利用する。作製した所望の色彩のサンプルは、容器に収容することもできるが、その取り扱いを容易にする観点から、フィルムに付着させるのが好ましい。
【００５０】
複数種の化粧品組成物の残部を利用する場合、各化粧品組成物の残部の分量（例えば体積や質量）をそれぞれ測定すれば、所望の色彩のサンプルに用いられた各化粧品組成物の分量、すなわち、作製されたサンプルの色彩を把握することができる。このため、本発明の化粧品のオーダーメイドシステムは、各化粧品組成物の残部の分量から、その各分量となるように調合されたサンプルの色彩を求める残部解析手段を備えるのが好ましい。この場合、さらに、各化粧品組成物の残部の分量を測定する計測手段を備えてもよい。
【００５１】
一方、被検出体が作製した所望の色彩のサンプルである場合、色彩検出手段は、サンプルから色彩を検出する測色計で構成できる。
【００５２】
本発明のオーダーメイドシステムは、色彩検出手段によって検出された色彩を表示する表示手段を備えるのが好ましい。この表示手段として、例えば、前記図１に示すパーソナルコンピュータ１１のディスプレイを用いることができる。
【００５３】
この表示手段に代えて、または、表示手段とともに、検出された色彩を顧客の端末に送信する情報送信手段を備えてもよい。具体的には、情報送信手段（例えばＷｅｂサーバーやメールサーバー等）を介して顧客の端末（例えばパーソナルコンピュータや携帯電話）に情報を送信し、その端末のディスプレイに検出された色彩を表示してもよい。
【００５４】
本発明のオーダーメイドシステムでは、色彩検出手段１２により検出された被検出体の色彩に基づき、調合する化粧品の色彩を決定し、その色彩は入力手段を用いて入力される。前記図１に示すオーダーメイドシステム１０では、パーソナルコンピュータ１１が入力手段の役割を果たす。
【００５５】
化粧品の色彩を決定する際、色彩検出手段により検出された被検出体の色彩をそのまま調合する化粧品の色彩にする方式を採用して良い。また、検出された被検出体の色彩を販売員のアドバイスや顧客の嗜好を考慮して変更する方式を採用しても良い。いずれの方式を採用するかは、化粧品の種類や販売方式によって適宜設定できる。
【００５６】
色彩検出手段により検出された被検出体の色彩をそのまま調合する化粧品の色彩にする方式を採用する場合、オーダーメイドシステムが、色彩検出手段によって検出された色彩に基づいて入力手段に色彩を入力する入力補助手段を備えるのが好ましい。これにより、誤入力を防止できるとともに、効率良く化粧品を製造できる。
【００５７】
検出された被検出体の色彩を変更する方式を採用する場合、オーダーメイドシステムが、色彩検出手段によって検出された色彩に基づいて推奨される色彩を求める推奨色彩解析手段を備え、表示手段が、検出された色彩とともに、推奨色彩解析手段によって求められた推奨色彩を表示するのが好ましい。推奨色彩解析手段は、例えば、色彩検出手段によって検出された色彩に基づき、顧客情報、流行色または季節を考慮して推奨される色彩を求める。
【００５８】
顧客情報は、販売実績や嗜好、顧客の要望（赤ら顔を隠したい等）が該当する。このような顧客情報や流行色、季節を考慮して推奨色彩を求め、表示手段に表示することにより、効率的に色彩を決定することができる。ここで、季節を考慮するとは、例えば、化粧品がファンデーションで季節が夏である場合、検出された色彩をＲＧＢカラーモデルでＢ成分が増すように変更することが該当する。また、化粧品がファンデーションで季節が冬である場合、ＲＧＢカラーモデルでＲ成分が増すように変更することが該当する。
【００５９】
このように推奨色解析手段によって推奨色を求める場合、入力補助手段として、色彩検出手段によって検出された色彩、または、推奨色彩解析手段によって求めた色彩を入力手段に入力する入力補助手段を備えるのが好ましい。これにより、オペレーター（販売員や顧客）が入力装置（マウスやタッチパネル）によって色彩を選択するのに応じ、入力補助手段を介して入力手段に色彩が入力される。
【００６０】
推奨色彩解析手段は、表示手段に代えて、または、表示手段とともに、情報送信手段を介して検出された色彩とともに推奨色彩を顧客の端末のディスプレイに表示してもよい。
【００６１】
このように決定される色彩を有する化粧品を化粧品調合装置２０を用いて調合するため、配合比設定手段１４は、入力された色彩となる化粧品を複数種の化粧品組成物から調合するための配合比を生成する。より具体的には、配合比設定手段１４は、入力された色彩に応じて、例えば顔料の含有量を調整し、調合される化粧品の色彩が入力された色彩となるような配合比を生成する。
【００６２】
この配合比設定手段１４は、例えば、色彩分類に、その色彩分類を利用可能な色彩の範囲が紐付けて格納されている色彩分類データベースと、入力された色彩が利用可能な範囲内である色彩分類を色彩分類データベースから選択するアプリケーションと、色彩分類に、その色彩分類の化粧品を調合するための配合比が紐付けて格納されている配合比データベースと、入力された色彩分類から配合比を選択するアプリケーションとで構成できる。
【００６３】
図２は、色彩分類データベースを説明するためのカラーマップを示す模式図である。同図に示すカラーマップは、ＲＧＢカラーモデルで色彩が表現されており、横軸に沿って赤色の明度が変化し、縦軸に沿って緑色の明度が変化し、青色の明度は一定である。同図の鎖線は色彩分類が利用可能な範囲（領域）の境界を表わし、鎖線で囲まれる各領域には分類番号（Ａ−１〜Ｊ−１０）が付されている。このような色彩分類は、赤色および緑色の明度がその領域内であって、かつ、青色の明度が所定の範囲内の場合に利用可能である。この場合、色彩分類データベースは、色彩の分類番号に、その色彩が利用可能な範囲（赤色の明度の上限値および下限値、緑色の明度の上限値および下限値、青色の明度の上限値および下限値）が紐付けて格納されている。
【００６４】
このような色彩分類データベースから、入力された色彩（例えば赤色、緑色および青色の明度）を基準に、アプリケーションを介して利用可能な範囲内である色彩分類（色彩の分類番号）を選択する。
【００６５】
この時、入力された色彩が、複数の色彩分類にまたがるような色彩であった場合、アプリケーションは、入力された色彩が、どの色彩分類により近いのかを自動的に判断し、最適な色彩分類を選択するのが好ましい。
【００６６】
また、上述の配合比データベースは、例えば、色彩分類に、各化粧品組成物を吐出する容積式のポンプを駆動するモーター（駆動装置）の回転数（ｍｉｎ−１）を紐付けて格納すればよい。より具体的には、化粧品組成物を、赤色の顔料、緑色の顔料、青色の顔料、および、化粧品の半製品で構成するとともに、それらの化粧品組成物を化粧品調合装置が、モーターにより駆動される回転容積式のポンプを介して吐出する場合がある。この場合、配合比データベースは、色彩分類に、赤色の顔料を吐出するポンプを駆動するモーターの回転数（ｍｉｎ−１）、緑色の顔料を吐出するポンプを駆動するモーターの回転数（ｍｉｎ−１）、青色の顔料を吐出するポンプを駆動するモーターの回転数（ｍｉｎ−１）、および、化粧品の半製品を吐出するポンプを駆動するモーターの回転数（ｍｉｎ−１）を紐付けて格納すればよい。この場合、「化粧品の半製品」とは、化粧品（製品）から色彩を調整するための顔料を除いたものである。
【００６７】
一方、例えば、ポンプとして、駆動装置にモーターを用いないポンプ（例えばソレノイドを用いるピストン式ポンプや圧電素子を用いる圧電ポンプ）を採用する場合、配合比データベースは、色彩分類に、各化粧品組成物を吐出するポンプの単位時間当たりの吐出量を規定するパラメーター（例えばピストンのストローク速度、印加電圧や周期）を紐付けて格納してもよい。
【００６８】
このようにモーターの回転数といったポンプの単位時間当たりの吐出量を規定するパラメーターによって配合比を規定すれば、モーターといった駆動装置の動作時間を変更することにより、容易に任意の注文量に対応できる。
【００６９】
上述の例においては、化粧品組成物を、赤色の顔料、緑色の顔料、青色の顔料、および、化粧品の半製品で構成したが、他の色の顔料を用いてもよい。また、顔料単体ではなく、顔料に他の化粧品半製品を加えた化粧品組成物、あるいは基材に顔料を溶かした化粧品組成物などを用いてもよい。また、化粧品組成物として、顔料以外に、肌の光沢感を出すパール化剤、潤いを出す保湿剤などを用い、それらを適宜添加することによって、色彩を調整してもよい。
【００７０】
前記図２に示すカラーマップでは、横軸に沿って赤色の明度が変化し、縦軸に沿って緑色の明度が変化するが、例えば横軸を顔料Ａの含有量とし、縦軸を顔料Ｂの含有量として作成したカラーマップを用いても良い。ここで、顔料Ａおよび顔料Ｂは、いずれも赤色顔料、緑色顔料および青色顔料を含有する混合顔料であるが、それらの含有率が異なる。
【００７１】
この場合、配合比設定手段１４は、例えば、顔料ＡおよびＢの含有量に、その含有量で調合された化粧品の色彩（例えば赤色、緑色および青色の明度）が紐付けて格納されているマップデータベースと、マップデータベースの化粧品の色彩が入力された色彩（例えば赤色、緑色および青色の明度）と同一のレコードを選択し、そのレコードの顔料ＡおよびＢの含有量を呼び出すアプリケーションと、色彩分類に、その色彩分類を利用可能な範囲（例えば顔料Ａの上限値および下限値、並びに、顔料Ｂの上限値および下限値）が紐付けて格納されている色彩分類データベースと、入力された顔料ＡおよびＢの含有量が利用可能な範囲内である色彩分類を色彩分類データベースから選択するアプリケーションと、色彩分類に、その色彩分類の化粧品を調合するための配合比が紐付けて格納されている配合比データベースと、入力された色彩分類から配合比を選択するアプリケーションとで構成できる。
【００７２】
上述の例においては、混合顔料である顔料Ａおよび顔料Ｂの含有量を基にしたカラーマップを用いた。これに代えて、混合顔料に他の化粧品半製品を加えた化粧品組成物Ａおよび化粧品組成物Ｂの含有量を基にしたカラーマップを用いても良い。あるいは、基材に混合顔料を溶かした化粧品組成物Ａおよび化粧品組成物Ｂの含有量を基にしたカラーマップを用いても良い。また、３種類の混合顔料の含有量、あるいは３種類の混合顔料に他の化粧品半製品を加えた化粧品組成物の含有量を基に、３次元的なカラーマップを用いても良い。
【００７３】
また、前記図２に示すカラーマップでは、ＲＧＢカラーモデルで色彩が表現されたカラーマップを用いたが、他のカラーモデル、例えばＬ＊ａ＊ｂ＊カラーモデルで色彩が表現されたカラーマップを用いてもよい。この場合、Ｌ＊（明度）の調整は、白色顔料（あるいは白色に近い色の顔料）の配合比を調整するほか、パール化剤やラメ剤などの配合比を調整することによって調整してもよい。
【００７４】
上記では、色彩分類を用いる配合比設定手段１４を説明したが、本発明のオーダーメイドシステムでは、他の方式の配合比設定手段１４を採用することもできる。例えば、顔料の含有量とその含有量で調合された化粧品の色彩との関係を関数化する。この得られた関数を用いて配合比設定手段１４が、入力された色彩から顔料の含有量を算出することにより、配合比を決定する方式も採用できる。また、配合比設定手段が変化量データベースを備える方式も採用できる。
【００７５】
配合比設定手段が変化量データベースを備える方式は、化粧品組成物の添加量と表色値の各成分の変化量との関係を利用する。具体的には、ある色彩（例えば赤色）の組成物Ｘに化粧品組成物Ｙ（例えば青色顔料）を定量で添加した場合における表色値の各成分の変化量は、異なる色彩（例えば黄色）の組成物Ｚに化粧品組成物Ｙを定量で添加した場合における表色値の各成分の変化量と同じであることを利用する。この化粧品組成物の添加量と表色値の各成分の変化量との関係は、後述の基礎試験によって把握したものである。
【００７６】
ここで、Ｌ＊ａ＊ｂ＊カラーモデルを用いる場合、表色値の各成分の変化量（ΔＬ＊，Δａ＊，Δｂ＊）は、下記（１）〜（３）式によって算出できる。
ΔＬ＊＝ａ１−ｂ１  ・・・（１）
Δａ＊＝ａ２−ｂ２  ・・・（２）
Δｂ＊＝ａ３−ｂ３  ・・・（３）
ただし、添加前の色彩の表色値を（ａ１，ａ２，ａ３）とし、添加後の色彩の表色値を（ｂ１，ｂ２，ｂ３）とする。
【００７７】
図１０は、変化量データベースの構成例を示す模式図である。同図に示す変化量データベースは、フィールドとして、化粧品組成物の種類と、その化粧品組成物の添加量（μＬ）と、その添加量における表色値の各成分の変化量（同図ではＬ＊ａ＊ｂ＊カラーモデルの各成分値の変化量）が設けられている。このように化粧品組成物の添加量にその添加量における表色値の各成分の変化量を紐付けてレコードが格納されている。
【００７８】
このような変化量データベースの構築では、例えば、試験を行う。その試験では、組成物Ｘに化粧品組成物Ｙを所定量だけ添加する処理と、添加後の組成物Ｘの色彩を測色計で測定する処理とを繰り返す。その試験結果から表色値の各成分の変化量を算出して入力すれば、変化量データベースを構築できる。複数の化粧品組成物を添加する場合、全ての化粧品組成物について、化粧品組成物の添加量と表色値の各成分の変化量との関係を求める。
【００７９】
このような変化量データベースを備える方式では、配合比設定手段が、配合比を生成するアプリケーションを備える。そのアプリケーションは、入力手段に入力された色彩の表色値と基準色の表色値との差に基づき、変化量データベースから化粧品組成物の添加量および表色値の各成分の変化量を選択しつつ化粧品組成物の添加量を決定する。このようにしてアプリケーションが配合比を生成する。ここで、基準色は、配合比を生成する際の基準となる色彩である。この基準色となる化粧品を調合するための配合比は、予め求めておく。
【００８０】
このようなアプリケーションを用いる配合比の生成では、最初に、アプリケーションは入力された色彩の表色値と基準色の表色値との差を各成分について算出する。入力された色彩の表色値と基準色の表色値との差に基づき、アプリケーションは、変化量データベースを照会して添加すべき化粧品組成物の種類と、その添加量とを決定する。その際、アプリケーションは必要に応じて、入力された色彩の表色値と基準色の表色値との差を複数に分解し、分解された表色値の差ごとに、化粧品組成物の種類と、その添加量とを決定する。
【００８１】
このようにして決定した添加する化粧品組成物の種類と、その添加量とを、アプリケーションは、基準色となる化粧品を調合する配合比（例えば各化粧品組成物の含有量（μＬ））に加味することにより、配合比を生成する。
【００８２】
このような配合比設定手段が変化量データベースを備える方式は、各化粧品組成物について添加量と表色値の変化量との関係を求めることによって色彩分類データベースを構築できる。このため、効率良く色彩分類データベースを構築しつつ、色彩の再現性を確保できる。
【００８３】
本発明の化粧品のオーダーメイドシステムは、変化量データベースは、レコードの化粧品組成物の添加量が容積式のポンプの分解能ごとに変化するのが好ましい。前述の通り、変化量データベースは、例えば、試験を行うことによって構築できる。その試験では、組成物Ｘに化粧品組成物Ｙを所定量だけ添加する処理と、添加後の組成物Ｘの色彩を測色計で測定する処理とを繰り返す。その組成物Ｘに化粧品組成物Ｙを所定量だけ添加する処理において、所定量を容積式のポンプの分解能に設定する。これにより、色彩の再現性を向上させることができる。
【００８４】
ここで、「容積式のポンプの分解能」とは、容積式のポンプにおける最小吐出量（μＬ）を意味する。例えば、パルスモーターによって駆動される容積式のポンプでは、１パルスあたりの吐出量が分解能となる。
【００８５】
そして、前記図１に示すような本発明のオーダーメイドシステムの化粧品調合装置２０は、配合比設定手段で生成された配合比に基づき、複数種の化粧品組成物をポンプを介して吐出して混合することにより、決定した色彩の化粧品を調合する。
【００８６】
このような本発明のオーダーメイドシステムは、被検出体の色彩を検出する色彩検出手段１２を備えることから、顧客が所望する色彩を的確かつ効率的に決定できる。このため、顧客が所望する色彩の取り纏め作業に要する時間を低減でき、調合された化粧品の色彩と顧客が所望する色彩とが乖離するのを抑制できる。
【００８７】
また、本発明のオーダーメイドシステムは、化粧品調合装置２０が化粧品組成物を容積式のポンプを介して吐出して混合することから、製造責任技術者が色見本に従って化粧品組成物を調合する必要がない。このため、調合作業に要する時間を低減でき、調合作業に起因して調合された化粧品の色彩と顧客が所望する色彩とが乖離するのを防止できる。化粧品調合装置は、任意量の化粧品を調合することができるので、本発明のオーダーメイドシステムは、任意量の化粧品を販売することが可能となる。また、少量のサンプルを顧客に提供することもできる。
【００８８】
ここで、肌質は、普通肌（ノーマル）、乾燥肌（ドライ）、油性肌（オイリー）、油性乾燥肌（オイリードライ）に分類する方法が汎用されている。この肌質に応じて保湿性を変化させること、すなわち、保湿性を有する化粧品組成物の配合比を変化させることが、ファンデーションでは重要となる。このため、本発明のオーダーメイドシステムは、化粧品がファンデーションの場合、顧客の肌質を判定する肌質判定手段１３を備え、配合比設定手段１４が、入力された色彩および保湿性となる化粧品を複数種の化粧品組成物から調合するための配合比を生成するのが好ましい。
【００８９】
肌質判定手段１３を備えることにより、顧客の肌質を的確かつ効率的に認識することができる。この肌質判定（分類）は、顧客の肌の水分量に基づいて行うことができる。顧客の肌の水分量は、測定静電容量より角層水分量を間接的に算出するキャパシタンス測定法や、電気伝導度から角層水分量を間接的に算出するコンダクタンス測定法により行うことができる。このため、肌質判定手段は、例えば、皮表角層水分量測定装置で構成できる。
【００９０】
このように測定される顧客の肌の水分量を用いて肌質を判定し、判定された肌質に基づいて販売員や顧客が化粧品の保湿性を決定する。決定された保湿性を色彩とともに配合比設定手段１４に入力し、配合比設定手段１４が入力された色彩および保湿性となる化粧品を複数種の化粧品組成物から調合するための配合比を生成する。より具体的には、配合比設定手段１４は、入力された保湿性に応じて、例えば尿素やグリセリン等の保湿剤の含有量を調整し、調合される化粧品の保湿性が入力された保湿性となるような配合比を生成する。その結果、化粧品調合装置により調合されたファンデーションは、色彩のみならず保湿性も満足する。
【００９１】
本発明のオーダーメイドシステムは、さらに、判定された肌質に基づいて化粧品の保湿性を選択する保湿性選択手段を備えるのが好ましい。保湿性選択手段は、例えば、肌質に、その肌質に適した保湿性が紐付けて格納されている肌質データベースと、その肌質データベースを検索するためのアプリケーションとで実現できる。これにより、顧客は、効率よく、保湿性を決定できる。
【００９２】
本発明のオーダーメイドシステムは、配合比設定手段１４が、さらに、質感、維持力およびカバー力の少なくとも一種以上の条件を入力でき、入力された条件となる化粧品を複数種の化粧品組成物から調合するための配合比を生成するのが好ましい。これにより、調合される化粧品を、色彩のみならず、質感（例えばパール感またはマット感）や維持力、カバー力も顧客の所望の状態にできる。
【００９３】
ここで、パール感およびマット感は、その入力に応じてエチレングリコールジステアレート等のパール化剤の含有量を変化させることにより調整できる。また、維持力は、入力された維持力に応じてシリコーンの含有量を変化させることにより調整でき、カバー力は、入力されたカバー力に応じて酸化チタンやアルミナ等のカバー力の高い顔料の含有量を変化させることにより調整できる。
【００９４】
本発明のオーダーメイドシステムは、前述の色彩検出手段が、さらに、画像解析装置に送信される画像データについて、色彩を補正する色彩補正手段を備えるのが好ましい。カメラといった撮像手段で顧客の肌を撮像すると、照明等によって色彩が変化するので、その影響を排除するためである。この方式では、予め色見本を準備し、その色見本の色彩（表色値）を測定しておく。例えば、撮像手段で撮像する際に、顧客の肌とともに所定の色見本を撮像手段の視野内に配置して撮像し、撮像された画像データの色見本の色彩が本来の色彩（事前に測定した表色値）となるように色彩検出手段が補正すればよい。
【００９５】
具体的には、被検出体が顧客の肌とともに色見本を撮像した写真の画像データである場合、色彩検出手段が、画像データにおける色見本の色彩に基づいて画像データの色彩を補正する色彩補正手段と、色彩補正手段によって処理された画像データを解析することによって顧客の肌の色彩を検出する画像解析装置とを備えるのが好ましい。また、被検出体が顧客の肌とともに色見本を撮像した写真である場合、色彩検出手段が、写真を画像データとして取り込むスキャナーと、画像データにおける色見本の色彩に基づいて画像データの色彩を補正する色彩補正手段と、色彩補正手段によって処理された画像データを解析することによって顧客の肌の色彩を検出する画像解析装置とを備えるのが好ましい。
【００９６】
本発明のオーダーメイドシステムは、色彩検出手段で検出した色彩が利用可能な色彩分類を、ディスプレイに表示させる、色彩分類表示装置を備えるのが好ましい。この場合、ディスプレイには、前記図２に示すようなカラーマップが表示されており、このカラーマップ上において、検出した色彩がどの色彩分類に該当するのかが示される。顧客は、示された色彩分類を参照しながら、嗜好に合った色彩分類を選択することができる。
【００９７】
例えば、色彩検出手段で検出した、顧客の肌の色彩が、カラーマップにおける分類番号「Ｇ−５」に該当した時に、顧客がより赤味の強い色彩の化粧品を希望する場合は、顧客は例えば分類番号「Ｇ−４」などを選択すればよい。なお、上記の例では、検出した顧客の肌の色彩の分類番号「Ｇ−５」に基づいて顧客が分類番号「Ｇ−４」を選択することとしているが、検出した色彩に基づくことなく、直接希望の色彩を指定することを可能にしてもよい。
【００９８】
また、ディスプレイ上に表示されるカラーマップにおいては、図２に示すような鎖線及び分類番号は省略されていてもよい。この場合、顧客は、分類番号によって希望の色を指定するのではなく、カラーマップ上の任意の点を入力手段により選択することにより希望の色を指定すればよい。例えば、マウスによるクリックやタッチパネルを触ることにより指定する。このようにして選択された色彩分類から、配合比設定手段１４が配合比を選択する。これにより、顧客の嗜好に合った色彩を決定すること、および、その色彩の化粧品を調合することを、より効率よく行うことができる。
【００９９】
本発明のオーダーメイドシステムは、化粧品がコンシーラーの場合、さらに、検出された顧客の肌の色彩、および、検出されたコンシーラーの使用箇所（例えばシミやクマ、クスミ、ニキビ、傷跡等）の色彩に適するコンシーラーの色彩を選択する色彩選択手段を備えるのが好ましい。これにより、顧客は、効率よく、コンシーラーの色彩を決定できる。色彩選択手段は、例えば、肌の色彩およびコンシーラーの使用箇所の色彩に、それらの条件に適したコンシーラーの色彩が紐付けて格納されているデータベースと、そのデータベースを検索するためのアプリケーションとで実現できる。
【０１００】
色彩選択手段により選択された色彩が利用可能な色彩分類を、上述の色彩分類表示装置により、ディスプレイに表示できるようにしてもよい。これによって、顧客は、上述の場合と同様に、表示された色彩分類を参照しながら、嗜好に合った色彩分類を選択することができる。
【０１０１】
本発明のオーダーメイドシステムは、化粧品が口紅やアイシャドウ、チーク等の場合、さらに、検出された顧客の肌の色彩に適する化粧品の色彩を抽出する色彩抽出手段を備えるのが好ましい。これにより、顧客は、効率よく、化粧品の色彩を決定できる。色彩抽出手段は、例えば、肌の色彩に、その肌の色彩に適した化粧品の色彩が紐付けて格納されているデータベースと、そのデータベースを検索するためのアプリケーションとで実現できる。
【０１０２】
色彩抽出手段により抽出された色彩が利用可能な色彩分類を、上述の色彩分類表示装置により、ディスプレイに表示できるようにしてもよい。これによって、顧客は、上述の場合と同様に、表示された色彩分類を参照しながら、嗜好に合った色彩分類を選択することができる。
【０１０３】
本発明のオーダーメイドシステムは、さらに、検出した顧客の肌の色彩を用いて化粧品を塗布した状態を仮想的に表示する化粧シミュレーション装置を備えるのが好ましい。化粧シミュレーション装置は、例えば、検出した顧客の肌の色彩である顔画像に顧客または販売員が選択した色彩の化粧品を塗布した状態をディスプレイに表示する。これにより、顧客は、効率よく、化粧品の色彩を決定できる。
【０１０４】
化粧シミュレーション装置は、さらに、光源の違いによる化粧品の色彩の見え方の違いを仮想的に表示する光源シミュレーション装置を備えるのが好ましい。この場合、例えば、顧客または販売員が、ディスプレイ上で、または入力装置から、光源情報（例えば、蛍光灯・白熱電球・自然光など光源の種類、光源の照度、光源の色など）を選択する。光源シミュレーション装置は、化粧シミュレーション装置により出力される画像を、選択された光源の状態を加味してディスプレイに表示する。これにより、顧客は、実際に化粧品を使用する様々な環境における選択した色彩の見え方を確認することができ、より効率的かつ的確に、化粧品の色彩を決定できる。
【０１０５】
本発明のオーダーメイドシステムは、さらに、配合比設定手段で生成された配合比を、顧客を特定する顧客ＩＤ情報に紐付けて記憶する記憶手段（図示なし）を備えるのが好ましい。これにより、顧客が同一の化粧品を注文する場合に、被検出体の色彩の検出等を行うことなく、効率的に化粧品を調合して供給できる。配合比および顧客ＩＤ情報は、例えば、前記図１に示すパーソナルコンピュータ１１やネットワークを介して接続されたサーバー（図示なし）の記憶領域に格納することができる。
【０１０６】
本発明のオーダーメイドシステムは、さらに、配合比設定手段で生成された配合比を、顧客を特定する顧客ＩＤ情報に紐付けて出力する出力手段を備えるのが好ましい。これによっても、顧客が同一の化粧品を注文する場合に、被検出体の色彩の検出等を行うことなく、効率的に化粧品を調合して供給できる。出力手段としては、例えば、ＩＣカードリーダライタや磁気記憶型カードリーダライタを用いることができ、出力先としてはＲＦＩＤ（Ｒａｄｉｏ  Ｆｒｅｑｕｅｎｃｙ  ＩＤｅｎｔｉｆｉｃａｔｉｏｎ）を採用した非接触ＩＣカードや磁気記憶型カードを採用できる。
【０１０７】
本発明のオーダーメイドシステムは、さらに、配合比設定手段で生成された配合比を、顧客を特定する顧客ＩＤ情報に紐付けて送信する送信手段を備えるのが好ましい。これによっても、顧客が同一の化粧品を注文する場合に、被検出体の色彩の検出等を行うことなく、効率的に化粧品を調合して供給できる。この場合、例えば、前記図１に示すパーソナルコンピュータにインストールされたアプリケーションにより、電子メールで顧客が所有する携帯電話やスマートフォン、パーソナルコンピュータ等の電子機器類に送信することができる。また、顧客が所有する電子機器類において作動するアプリケーションを作成し、そのアプリケーションを介して電子機器類に送信することもできる。
【０１０８】
なお、配合比設定手段で生成された配合比だけでなく、製品の製造年月日、発送年月日等も、顧客を特定する顧客ＩＤ情報に紐づけて、上述のごとく記憶・出力・送信することが可能である。このような情報を用いることにより、顧客が製品を使いきるタイミングを予測して、案内状等を顧客に送付することもでき、それによって販売促進を図ることができる。さらに、製品のトレーサビリティを確保するために用いることもでき、品質管理上も有用である。さらに、生産管理やマーケティングに用いることも可能である。
【０１０９】
本発明のオーダーメイドシステムは、さらに、調合された化粧品の配合比を解析する配合比解析手段（図示なし）を備えるのが好ましい。これにより、顧客が同一の化粧品を注文する場合に、以前に提供された化粧品を持ち込めば、被検出体の色彩の検出等を行うことなく、同一の化粧品を調合できる。また、後述する実施例で詳述するように、通信販売の場合でも、顧客が所望する化粧品を供給することができる。
【０１１０】
上述の配合比解析は、化粧品の色彩、もしくは化粧品を塗布したフィルム等の色彩を解析することによって行ってもよい。
【０１１１】
本発明のオーダーメイドシステムは、さらに、調合された化粧品の色彩を検出する測色計と、その測色計により検出された色彩の表色値と入力手段によって入力された色彩の表色値との差に基づき、配合比設定手段によって生成された配合比を補正する配合比補正手段とを備えるのが好ましい。これにより、色彩の再現性をより向上できる。また、配合比設定手段が備える各種データベースのレコード数を削減した場合でも、色彩の再現性を確保できる。
【０１１２】
配合比補正手段は、例えば、変化量データベースを備える方式の配合比設定手段と同様の構成を採用できる。すなわち、基準色の表色値に代えて測色計により検出された色彩の表色値を用いるとともに、基準色の配合比に代えて測色計により検出された色彩の配合比を用いればよい。具体的には、化粧品組成物の添加量に当該添加量における表色値の各成分の変化量を紐付けたレコードが格納されている変化量データベースと、配合比を生成するアプリケーションとで構成できる。そのアプリケーションは、入力手段に入力された色彩の表色値と測色計で検出された色彩の表色値との差に基づき、変化量データベースから化粧品組成物の添加量および表色値の各成分の変化量を選択しつつ化粧品組成物の添加量を決定する。このようにしてアプリケーションが配合比を生成する。
【０１１３】
［化粧品調合装置］
続いて、本発明のオーダーメイドシステムが備える化粧品調合装置について、その構成例を説明する。
【０１１４】
図３は、化粧品調合装置の構成例の外観を模式的に示す斜視図である。
図４は、化粧品調合装置の構成例の内部を模式的に示す正面図である。
図５は、化粧品調合装置の構成例の内部を模式的に示す側面図である。
図６は、化粧品調合装置の構成例における化粧品組成物の流路を模式的に示す上面図である。
【０１１５】
図３〜６に示す化粧品調合装置２０は、図３に示すように筐体２１の正面に払い出し部２２が設けられている。この払い出し部２２に、容器（図示なし）を載置し、その容器に調合した化粧品を充填する。
【０１１６】
図４および５に示すように化粧品調合装置２０は、筐体２１の内部に、化粧品組成物を吐出する容積式のポンプ２３と、ポンプ２３から吐出された化粧品組成物を集合部２９に移送する流路２４と、集合部２９に到達した化粧品組成物を導出するノズル２５と、ポンプ２３等の動作制御を実行する制御装置２８とを備える。
【０１１７】
化粧品組成物を吐出する容積式のポンプ２３は、駆動装置の動作に応じて化粧品組成物を吐出する。同図に示す容積式のポンプ２３は、駆動装置であるモーター３０の回転に応じてタンク２７に貯留される化粧品組成物を吐出する。このようなポンプ２３、モーター（駆動装置）３０およびタンク２７は、化粧品の調合に必要な化粧品組成物の種類分だけ配設されている。
【０１１８】
制御装置２８は、入力された配合比および化粧品の注文量に基づき各化粧品組成物の吐出量を算出し、算出された吐出量に応じてモーター３０にそれぞれ信号を送信して各モーター３０を回転させる。これにより、各化粧品組成物がポンプ２３を介して算出された吐出量だけ吐出する。このようにポンプ２３から吐出された複数種の化粧品組成物は、図６に示すような流路２４を吐出口との接続部２４ａから集合部２９まで流れて合流する。集合部２９で合流した化粧品組成物は、図４および５に示すノズル２５を流れて容器（図示なし）に充填される。
【０１１９】
同図に示す化粧品調合装置２０は、ノズル２５の隣に攪拌機２６が配置されている。この攪拌機２６は、駆動装置（図示なし）に駆動されて回転する攪拌羽根２６ａを備え、その攪拌羽根２６ａは昇降可能である。このため、攪拌羽根２６ａを下降させた状態で回転させることにより、容器内に所定の配合比で充填された化粧品組成物を混合できる。このようにして化粧品調合装置２０は、複数の化粧品組成物から化粧品を調合する。
【０１２０】
本発明のオーダーメイドシステムは、化粧品調合装置の容積式のポンプ２３として、例えばダイヤフラム式ポンプを用いることができるが、一軸偏心ねじポンプを用いるのが好ましい。
【０１２１】
図７は、化粧品調合装置のポンプとして好適な一軸偏心ねじポンプの構成例を模式的に示す断面図である。同図に示す一軸偏心ねじポンプ４０は、動力を受けて偏心回転する雄ねじ型のロータ４２と、内周面が雌ねじ型に形成されたステータ４３とを有する。このようなロータ４２およびステータ４３は、ケーシング４１の内部に収容されている。そのケーシング４１は、金属製の筒状部材であり、長手方向一端側に第一開口部４１ａが設けられている。この第一開口部４１ａは、一軸偏心ねじポンプ４０の吐出口として機能し、化粧品組成物を集合部に移送するための流路と配管を介して接続する。
【０１２２】
また、ケーシング４１の外周部分には、第二開口部４１ｂが設けられている。第二開口部４１ｂは、ケーシング４１の長手方向の中間部においてケーシング４１の内部空間に連通している。このような第二開口部４１ｂは、一軸偏心ねじポンプ４０の吸込口として機能し、化粧品組成物を貯留するタンクと配管を介して接続する。
【０１２３】
ステータ４３は、ゴム等の弾性体または樹脂等からなる。ステータ４３の内孔４３ａは、ｎ条で単段あるいは多段の雌ネジ形状である。これに対し、ロータ４２は、金属製の軸体であり、ｎ−１条で単段あるいは多段の雌ネジ形状である。
【０１２４】
同図に示す一軸偏心ねじポンプ４０は、ステータ４３が、２条で多段の雌ねじ形状であり、そのステータ４３の内孔の断面は、長手方向のいずれの位置でも、略長円形となる。一方、ロータ４２は、１条で偏心した雄ねじ形状であり、そのロータ４２の断面は、長手方向のいずれの位置でも、略真円形となる。ロータ４２は、ステータ４３に形成された内孔４３ａに挿通され、内孔４３ａの内部において自由に偏心回転可能とされている。
【０１２５】
ロータ４２を偏心回転可能とするため、ロータ４２は第一自在継手４４を介してロッド４５と連結され、そのロッド４５は第二自在継手４６を介してドライブシャフト４７と連結されている。ドライブシャフト４７は、詳細な説明は省略するが、ケーシング４１との隙間をシールした状態でケーシング４１に回転可能に保持されている。このようなドライブシャフト４７は、モーター３０の主軸３０ａと連結されている。このため、モーター３０の動作によって主軸３０ａが回転するのに伴い、ドライブシャフト４７が回転し、自在継手やロッド４５を介して連結されているロータ４２が偏心回転する。
【０１２６】
ロータ４２をステータ４３の内孔４３ａ内において回転させると、ロータ４２およびステータの内孔４３ａにより仕切られた空間が、ステータ４３内を回転しながらステータ４３の長手方向に進む。このため、ロータ４２を回転させると、ステータ４３の一端側から流体を吸い込むとともに、吸い込んだ流体をステータ４３の他端側に向けて移送して吐出させることが可能である。同図に示す一軸偏心ねじポンプ４０は、ロータ４２を正方向に回転させることにより、第二開口部４１ｂから吸い込んだ化粧品組成物を圧送し、第一開口部４１ａから吐出することが可能である。
【０１２７】
このような一軸偏心ねじポンプは、それを回転駆動するモーターの回転制御を行うことにより、化粧品組成物の吐出量を自在に精度良く変化させることができる。このため、化粧品調合装置の容積式のポンプが一軸偏心ねじポンプであれば、前述のダイヤフラム式ポンプを用いる場合と比べ、化粧品の品質を向上できるとともに、品質バラツキを低減できる。また、容積式のポンプが一軸偏心ねじポンプであれば、ロータリーポンプやピストンポンプを用いる場合と比べても、化粧品の品質を向上できるとともに、品質バラツキを低減できる。
【０１２８】
ここで、配合比が異なる化粧品を続けて調合する場合に、先の調合において集合部２９等に残留した化粧品組成物が、後の調合において化粧品に混入して配合比を変化させるおそれがある。このため、本発明のオーダーメイドシステムは、化粧品調合装置が、さらに、集合部２９やノズル２５、攪拌機の攪拌羽根２６ａといった複数種の化粧品組成物と接触する箇所を洗浄する洗浄装置を備えるのが好ましい。これにより、先の調合と後の調合との間に、洗浄装置を用いて洗浄を行えば、先の調合で残留した化粧品組成物を除去でき、後の調合で化粧品に混入するのを防止できる。
【０１２９】
洗浄装置は、例えば、洗浄液貯留タンクと、そのタンクの洗浄液を吸込んで吐出する洗浄液供給用ポンプ（洗浄液供給手段）と、洗浄液供給用ポンプから吐出された洗浄液を集合部２９等の洗浄箇所に供給する洗浄液供給流路と、洗浄に用いられた洗浄液を洗浄箇所から排出する洗浄液排出流路と、排出された洗浄液を回収する回収タンクとで構成できる。洗浄液は、例えば、水、溶剤、あるいは洗浄剤を含む液体を用いることができる。洗浄装置は、さらに、洗浄後に洗浄液を確実に排出するため、エア噴射装置（図示なし）等の排出促進手段を備えるのがより好ましい。
【０１３０】
本発明のオーダーメイドシステムは、化粧品調合装置が、さらに、容量が異なる複数種の容器を貯める容器ストッカーと、その容器ストッカーから払い出し部にいずれかの種類の容器を選択して供給する容器供給装置とを備えるのが好ましい。これにより、調合される化粧品の量に応じて最適な容量の容器を自動で供給することができる。
【０１３１】
本発明のオーダーメイドシステムは、化粧品調合装置が、さらに、化粧品組成物の温度を一定に保つ温度調整装置（図示なし）を備えるのが好ましい。これにより、化粧品調合装置の設置場所の温度が変化しても、化粧品組成物の温度を一定に保つことができる。その結果、ポンプによる化粧品組成物の吐出量がばらつくのを抑制できる。その温度調整装置は、例えば、タンクで貯留される化粧品組成物を加熱するヒーター、タンクで貯留される化粧品組成物を冷却するクーラー、タンクで貯留される化粧品組成物の温度を測定する温度計、および、温度計で測定された温度に応じてヒーターおよびクーラーの出力を変更して貯留される化粧品組成物の温度を入力値に制御するコントローラーで構成できる。
【０１３２】
また、タンクだけでなく、ポンプにおけるステータ・ケーシング・ノズルなどの部位を、温水ジャケットまたは冷水ジャケットを用いて、加熱または冷却してもよい。
【０１３３】
本発明のオーダーメイドシステムでは、化粧品調合装置が、ポンプを介して吐出される化粧品組成物を混合するが、その混合に用いる攪拌機は、前述の攪拌羽根を備えた攪拌機に限定されない。例えば、複数種の化粧品組成物が充填された容器に振動を付与したり、回転させたりすることによって非接液方式で攪拌して混合させても良い。さらに、攪拌機に加えて、練り機を設けても良い。
【０１３４】
前記図３〜６に示す化粧品調合装置は、複数のポンプ２３を介して吐出される複数種の化粧品組成物を流路２４を流通させて集合部２９で合流させ、合流した化粧品組成物を一つのノズル２５を用いて容器に充填するが、他の方式を採用することもできる。例えば、ポンプ（化粧品組成物）ごとにノズルをそれぞれ設け、かつ、それらのノズルとポンプとを接続する流路をそれぞれ配設するセパレート方式を採用できる。この場合、複数種の化粧品組成物は、ポンプからノズルに至る流路で合流することなく、容器にて混合される。
【０１３５】
このようなセパレート方式と非接液方式の攪拌を採用すれば、化粧品調合装置は、前述の洗浄装置が不要となり、設備コストを削減できるとともに、生産性を向上できる。
【０１３６】
本発明のオーダーメイドシステムでは、化粧品調合装置は、前述したようにモーターの回転数を変化させることによってポンプの単位時間当たりの吐出量（吐出速度）を調整した状態で、化粧品組成物の吐出を複数のポンプで同時に開始および終了して化粧品を調合することができる。この方式に限定されず、例えば、複数のポンプが順に化粧品組成物を吐出する方式も採用できる。
【０１３７】
［基礎試験］
本試験では、２台のディスペンサを介して液体顔料を容器に吐出して混合し、その混合液（試料）の色彩を測色計によって検出した。２台のディスペンサには、いずれも、容積式のポンプとして一軸偏心ねじポンプを設けた。その一軸偏心ねじポンプは、いずれも、回転数が６０ｍｉｎ−１に設定されたモーターによって駆動し、動作時間を変化させることによって吐出量（ｍＬ）を変化させた。
【０１３８】
第１のディスペンサには赤色顔料を吐出させ、第２のディスペンサには黄色顔料を吐出させた。本試験では、ケース１〜６を設け、第１のディスペンサの動作時間と第２のディスペンサの動作時間との合計を５秒となるようにしつつ、それぞれの動作時間を変化させた。具体的には、ケース１〜６で、その番号が増加するのに応じて黄色顔料の割合が増加するように、第１のディスペンサの動作時間および第２の動作時間を設定した。得られた混合液の分量は、いずれのケースでも１．１５ｍＬであった。
【０１３９】
各ケースでは、それぞれ５個の試料を作製し、それらの検出結果から、Ｌ＊ａ＊ｂ＊カラーモデルの表色値の各成分について、平均値をそれぞれ算出した。また、ケースの平均の表色値と各試料の表色値を用いて色差を算出し、その各試料の色差から平均値を求めた。この試料の色差の平均値は、試料の色彩のばらつきを示す。さらに、化粧品組成物の添加量と表色値の各成分の変化量との関係の理解を補助するため、ケースの平均の表色値を用いてケース間の色差を算出した。
【０１４０】
表１に、各ケースにおける第１のディスペンサの動作時間、第２のディスペンサの動作時間、Ｌ＊成分の平均値、ａ＊成分の平均値、ｂ＊成分の平均値、試料の色差の平均値をそれぞれ示す。
【０１４１】
【表１】
2015004903.tif 000003
【０１４２】
ここで、色差ΔＥが０．４〜０．８であれば、ＡＡＡ級許容差に該当し、そのＡＡＡ級許容差は、目視判定の再現性からみて、厳格な許容色差の規格を設定できる限界である。また、色差ΔＥが０．２〜０．４であれば、識別境界に該当し、その識別境界は、十分に調整された測色器械の再現精度の範囲で、訓練を積んだ人が再現性をもって識別できる限界である。
【０１４３】
表１の試験結果より、各ケース内の色差の平均値はＡＡＡ級許容差または識別境界に該当した。すなわち、ケース内の各試料の色差は十分に小さく、高い精度で色彩を再現できることが確認できた。
【０１４４】
図１１は、ケース間の色差ΔＥを示す図である。同図から、本試験条件では、ケース１とケース２の色差に比べ、ケース２とケース３の色差が大きくなった。一般化すると、ケース（ｎ）とケース（ｎ＋１）の色差に比べ、ケース（ｎ＋１）とケース（ｎ＋２）の色差が大きくなった。ここで、ｎは１〜４の自然数とする。これらから、化粧品組成物の添加量と表色値の変化量とに関連性があることを確認できた。
【０１４５】
上述した本発明のオーダーメイドシステムは、様々な化粧品や、オーダーメイド方式の様々な形態に適用できる。以下では、本発明のオーダーメイドシステムに係る実施例について説明する。実施例１では、後述の図８の処理フロー例を参照しつつ説明する。
【０１４６】
図８は、本発明に係る化粧品のオーダーメイドシステムの処理フロー例を示す図であり、同図（ａ）は主処理、同図（ｂ）は色彩の決定処理、同図（ｃ）は保湿性等の決定処理、同図（ｄ）は配合比の生成処理をそれぞれ示す。同図のＳ１〜Ｓ９、Ｓ１１〜Ｓ１５、Ｓ２１〜Ｓ２３並びにＳ３１およびＳ３２はそれぞれ処理ステップを示す。
【実施例１】
【０１４７】
［ファンデーションを店舗販売する実施例］
前記図１に示すオーダーメイドシステムは、例えば化粧品販売店、百貨店の化粧品販売フロアー、薬局、コンビニエンスストア等の店舗において、ファンデーションを販売する場合に利用できる。【０１４８】
（１）色彩の決定（Ｓ１）
ファンデーションを販売するにあたり、販売員が色彩検出手段１２を操作することによって顧客の肌の色彩を検出する（Ｓ１１〜Ｓ１３）。検出された肌の色彩に基づき、販売員が化粧品の色彩を決定する（Ｓ１５）。その際、販売員は、必要に応じて顧客の嗜好等を考慮して化粧品の色彩を調整する。または、顧客が、色彩分類表示装置によりディスプレイに表示された色彩分類を参照して、より自身の嗜好に合った別の色彩分類を選択してもよい。あるいは、販売員が色彩分類表示装置によりディスプレイに表示された色彩分類を参照して、顧客の肌や嗜好等により適合した別の色彩分類を顧客に推奨してもよい（Ｓ１４）。必要に応じて、前述の化粧シミュレーション装置や、光源シミュレーション装置も用いれば、より効率よく化粧品の色彩を決定できる。【０１４９】
（２）保湿性等の決定（Ｓ２およびＳ３）
続いて、販売員が操作する肌質判定手段１３によって顧客の肌質を判定し、販売員が判定した肌質に基づいて化粧品の保湿性を決定する（Ｓ２１〜Ｓ２３）。その際、販売員は、必要に応じ、顧客の嗜好等を考慮して化粧品の保湿性を調整する。また、販売員は、パール感やマット感といった質感、維持力、カバー力等の要望を顧客から聞き取り、化粧品の質感、維持力およびカバー力を決定する（Ｓ３）。【０１５０】
（３）サンプル用配合比の生成（Ｓ４）
このようにして決定した化粧品の色彩、保湿性、質感、維持力およびカバー力を、販売員が配合比設定手段１４に入力し、入力された色彩等となる化粧品を複数種の化粧品組成物から調合するための配合比（サンプル用配合比）を生成する。【０１５１】
具体的には、配合比設定手段１４は、入力された色彩を基準に色彩分類データベースから利用可能な範囲内である色彩分類を選択する（Ｓ３１）。また、その色彩分類を基準に配合比データベースから各化粧品組成物を吐出するポンプの単位時間当たりの吐出量（吐出速度）を規定するパラメーターを選択する（Ｓ３２）。【０１５２】
（４）サンプルの作製（Ｓ５）
配合比設定手段１４が生成した配合比に基づき、化粧品調合装置２０により少量のサンプルを調合し、サンプル用容器に充填する。【０１５３】
（５）サンプルの確認（Ｓ６）
作製したサンプルを顧客の試用等に供する。必要であれば、販売員が、顧客の嗜好や要望に応じて色彩や保湿性、質感、維持力、カバー力を調整する。【０１５４】
（６）製品用配合比の生成・製品の作製（Ｓ７およびＳ８）
色彩等の調整がない場合、サンプル用配合比を製品用配合比とし、化粧品調合装置２０により顧客の注文量の化粧品を調合し、製品用容器に充填する。また、色彩等の調整を行った場合、調整した色彩、保湿性、質感、維持力およびカバー力を、販売員が配合比設定手段１４に入力し、配合比を改めて生成する。改めて生成された配合比を製品用配合比とし、化粧品調合装置２０により顧客の注文量の化粧品を調合し、製品用容器に充填する。その際、ラベルの貼り付け、梱包等を適宜行う。【０１５５】
（７）製品用配合比等の保存（Ｓ９）
前述の記憶手段や出力手段、送信手段により、製品用配合比を、顧客を特定する顧客ＩＤ情報に紐付けて格納等する。併せて製造年月日等の製造情報や発送年月日等の出荷情報を顧客ＩＤ情報に紐付けて格納等する。
【実施例２】
【０１５６】
［コンシーラーを店舗販売する実施例］
（１）色彩の決定
コンシーラーを販売するにあたり、販売員が色彩検出手段１２を操作して顧客の肌の色彩およびコンシーラーの使用箇所（例えばシミやクマ）の色彩を検出する。販売員が、検出された肌の色彩およびコンシーラーの使用箇所の色彩に基づき、コンシーラーの色彩を決定する。その際、検出された顧客の肌の色彩およびコンシーラーの使用箇所の色彩に適した色彩を、前述の色彩選択手段を用いて選択すれば、効率よくコンシーラーの色彩を決定できる。販売員は、必要に応じて顧客の嗜好等を考慮してコンシーラーの色彩を調整する。または、顧客が、色彩分類表示装置によりディスプレイに表示された色彩分類を参照して、より自身の嗜好に合った別の色彩分類を選択してもよい。あるいは、販売員が色彩分類表示装置によりディスプレイに表示された色彩分類を参照して、顧客の肌や嗜好等により適合した別の色彩分類を顧客に推奨してもよい。必要に応じて、前述の化粧シミュレーション装置や、光源シミュレーション装置も用いれば、より効率よく化粧品の色彩を決定できる。【０１５７】
前述の［ファンデーションを店舗販売する実施例］のステップ（２）〜（７）と同様に、保湿性等の決定、サンプル用配合比の生成、サンプルの作製、サンプルの確認、製品用配合比の生成・製品の作製および製品用配合比等の保存を順に行う。【０１５８】
本実施例は、通常の化粧用コンシーラーに加え、例えばアザや傷跡などを隠すための医療用ファンデーションおよびコンシーラーにおけるカスタムメイドや販売にも適用可能である。
【実施例３】
【０１５９】
［口紅、アイシャドウまたはチークを店舗販売する実施例］
（１）色彩の決定
口紅、アイシャドウまたはチークを販売するにあたり、販売員が色彩検出手段１２を操作して顧客の肌の色彩を検出する。販売員が、検出された肌の色彩に基づき、顧客の嗜好を考慮して化粧品の色彩を決定する。その際、必要に応じて、前述の色彩抽出手段や色彩分類表示装置、化粧シミュレーション装置、光源シミュレーション装置を用いれば、効率よく化粧品の色彩を決定できる。【０１６０】
前述の［ファンデーションを店舗販売する実施例］のステップ（２）〜（７）と同様に、保湿性等の決定、サンプル用配合比の生成、サンプルの作製、サンプルの確認、製品用配合比の生成・製品の作製および製品用配合比等の保存を順に行う。【０１６１】
なお、上記実施例１〜３においては、販売員が各ステップで顧客の補助等を行うこととしたが、販売員が介在しない無人販売の形をとってもよい。この場合、ステップ（５）サンプルの確認においては、必要に応じて確認可能回数の制限を設ければよい。
【実施例４】
【０１６２】
［通信販売する実施例］
（１）配合比の決定
通信販売によって化粧品を販売するにあたり、顧客にサンプル作製キットを送付する。このサンプル作製キットは、複数の種類の化粧品組成物からなる。顧客は、複数の種類の化粧品組成物を混合し、所望の色彩のサンプルを作製する。その際、必要に応じて、質感や維持力、カバー力を有する化粧品組成物を混合する。【０１６３】
（２）サンプルの返送
顧客は作製したサンプルを返送し、返送されたサンプルについて配合比解析手段によって配合比を解析して割り出す。【０１６４】
（３）製品の作製
配合比解析手段によって得られた配合比に基づき、化粧品調合装置２０により顧客の注文量の化粧品を調合し、製品用容器に充填する。その際、ラベルの貼り付け、梱包等を適宜行う。このようにして作製された製品を顧客に送付する。【０１６５】
（４）製品用配合比等の保存
前述の記憶手段や送信手段により、配合比を、顧客を特定する顧客ＩＤ情報に紐付けて格納等する。併せて製造年月日等の製造情報や発送年月日等の出荷情報を顧客ＩＤ情報に紐付けて格納等する。【０１６６】
このように本発明のオーダーメイドシステムは、配合比解析手段を備えれば、通信販売であっても顧客の所望する化粧品を供給できる。この場合、顧客は店舗を訪れる必要がない。また、顧客は、自ら配合比を決定することから、時間的な制約がない。また、自ら作製したサンプルを照明等が異なる様々な環境で確認できるので、顧客の所望する化粧品により近いサンプルを作製できる。
【実施例５】
【０１６７】
［顧客が都度調合を行う実施例］
本発明のオーダーメイドシステムは、上述のような店舗販売や通信販売によって顧客に化粧品を販売することに加え、顧客自身が自宅や職場などで使用する化粧品の調合を都度行うことにも利用可能である。本実施例は、上述の［ファンデーションを店舗販売する実施例］、［コンシーラーを店舗販売する実施例］、［口紅、アイシャドウまたはチークを店舗販売する実施例］とほぼ同様の手順を、顧客が自宅や職場などで販売員の手を借りずに行うものである。この場合、ステップ（６）製品用配合比の生成・製品の作製における、製品用容器への充填、ラベルの貼り付け、梱包といったプロセスは、必要に応じて省略すればよい。【０１６８】
本実施例は、メイクアップアーティスト、美容師、舞台役者、その他パフォーマーなどが、業務上使用する場合において、好適に実施することができる。また、舞台メイクなどの場合、通常の光源とは異なる光源下での化粧が必要になることも多くあるため、化粧シミュレーション装置および光源シミュレーション装置が、特に有効である。
【実施例６】
【０１６９】
［サンプル作製キットを色彩決定に用いる実施例］
本実施例では、前述の実施例４と同様にサンプル作製キットを用いるが、サンプル作製キットを色彩決定のみに用い、保湿性等はサンプル作製キットを用いることなく決定する。【０１７０】
図１２は、サンプル作製キットを色彩決定に用いる場合の処理フロー例を示す図である。同図のＳ４１〜Ｓ４８はいずれも処理ステップを示す。【０１７１】
（１）色彩決定（Ｓ４１〜Ｓ４４）
色彩決定にあたり、前記図９に示すようなサンプル作製キットを顧客に供給する（Ｓ４１）。この供給は、例えば、顧客の注文に応じて送付すること、または、販売店で譲渡することで行えばよい。【０１７２】
顧客は、サンプル作製キットの化粧品組成物を混合し、所望の色彩のサンプルを作製する（Ｓ４２）。例えば、化粧品がファンデーションであれば、顧客の手の甲で化粧品組成物を混合することにより、所望の色彩のサンプルを作製すればよい。このサンプルの作製は、例えば、顧客が販売店で販売員のアドバイスや補助を受けつつ行うことができる。また、顧客が自宅等で説明書を参照しつつ行うこともできる。【０１７３】
作製したサンプルは、例えば、容器に収容した状態で顧客によって工場に送付される（Ｓ４３）。または、販売店に引き渡してもよい。その際、作製したサンプルの一部をフィルムに付着させ、そのフィルムとともにサンプルを送付または引き渡してもよい。作製したサンプルに代えて複数種の化粧品組成物の残部をパレットとともに送付または引き渡してもよい。【０１７４】
工場で作業員が色彩検出手段（例えば測色計）を操作することによって作製したサンプルの色彩を検出する（Ｓ４４）。一方、複数種の化粧品組成物の残部を用いる場合、残部解析手段を用いつつ、各化粧品組成物の残部の分量をそれぞれ測定し、その各分量となるように調合された化粧品サンプルの色彩を求める。この処理ステップは、販売店で販売員が行ってもよい。その際、表示手段によって顧客に検出された色彩を表示してもよい。【０１７５】
（２）保湿性等の決定（Ｓ４５）
前述の［ファンデーションを店舗販売する実施例］のステップ（２）と同様に、保湿性等を決定する。または、顧客が、販売員のアドバイスを受けることなく、例えば、インターネット上に設けたウィザード画面を用いて決定してもよい。【０１７６】
（３）サンプル用配合比の生成（Ｓ４６）
このようにして決定した化粧品の色彩、保湿性、質感、維持力およびカバー力を、販売員または作業員が配合比設定手段１４に入力し、入力された色彩等となる化粧品を複数種の化粧品組成物から調合するための配合比を生成する。【０１７７】
（４）製品の作製（Ｓ４７）
配合比設定手段１４が生成した配合比に基づき、化粧品調合装置２０により製品を調合し、製品用容器に充填する。その際、ラベルの貼り付け、梱包等を適宜行う。【０１７８】
（５）製品用配合比等の保存（Ｓ４８）
前述の［ファンデーションを店舗販売する実施例］のステップ（７）と同様に、製品用配合比等を保存する。【０１７９】
なお、上記の実施の形態では、化粧品の販売を主目的とする化粧品のオーダーメイドシステムとして説明したが、当該システムはこれに限定されるものではなく、化粧品の販売を目的としない場合には化粧品の調合システムとして利用することができる。本発明の化粧品の調合システムは、例えば、化粧品の開発等での調合において利用できる。本発明の化粧品の調合システムは、上述の本発明の化粧品のオーダーメイドシステムと同様の構成、および、好ましい態様を採用することができる。加えて、本発明の化粧品の調合システムは、以下の態様を採用することもできる。【０１８０】
本発明の化粧品の調合システムでは、被検出体が、被写体を撮像した写真の画像データであり、その被写体を人肌または色彩サンプルとすることができる。この場合、色彩検出手段が、画像データを解析することによって被写体の色彩を検出する画像解析装置を備える。【０１８１】
本発明の化粧品の調合システムでは、被検出体が、被写体とともに色見本を撮像した写真の画像データであり、被写体が、人肌または色彩サンプルとすることができる。この場合、色彩検出手段が、画像データにおける色見本の色彩に基づいて画像データの色彩を補正する色彩補正手段と、色彩補正手段によって処理された画像データを解析することによって被検出体の色彩を検出する画像解析装置とを備える。【０１８２】
ここで、人肌とは、顧客の肌に限らず、被験者等の肌が含まれることを意味する。色彩サンプルは、例えば、デザイナーによって作製や調合された色彩サンプルである。このような色彩サンプルは、所望の色彩の塗料・顔料等が塗布された用紙や、所望の色彩の塗料・顔料等が付着したフィルム、容器に収容された所望の色彩の塗料・顔料等が該当する。【０１８３】
本発明の化粧品の調合システムでは、化粧品サンプルの作製に供された複数種の化粧品組成物の残部の分量から、当該各分量となるように調合された化粧品サンプルの色彩を求める残部解析手段を備えるのが好ましい。この化粧品サンプルは、例えば、前述のサンプル作製キットを用いて作製することができる。化粧品サンプルは、顧客によって作製される場合に限定されず、デザイナーや被験者等によって作製されてもよい。【０１８４】
本発明の化粧品の調合システムでは、被検出体が、化粧品サンプルまたは色彩サンプルである場合、色彩検出手段が、被検出体から色彩を検出する測色計を備える形態を採用することができる。
【産業上の利用可能性】
【０１８５】
本発明のオーダーメイドシステムは、上述の通り、顧客が所望する色彩を的確かつ効率的に決定できるとともに、調合された化粧品の色彩と顧客が所望する色彩とが乖離するのを防止できる。このため、化粧品のオーダーメイド販売において、有効に利用することができる。【０１８６】
本発明の調合システムは、作業者等が所望する色彩を的確かつ効率的に決定できるとともに、調合された化粧品の色彩と所望の色彩とが乖離するのを防止できる。このため、化粧品の開発等での調合において、有効に利用することができる。
【符号の説明】
【０１８７】
１０：化粧品のオーダーメイドシステム、
１１：パーソナルコンピュータ、
１２：色彩検出手段、  １３：肌質判定手段、  １４：配合比設定手段、
２０：化粧品調合装置、  ２１：筐体、  ２２：払い出し部、
２３：容積式のポンプ、  ２４：流路、  ２４ａ：吐出口との接続部、
２５：ノズル、  ２６：攪拌機、  ２６ａ：攪拌羽根、  ２７：タンク、
２８：制御装置、  ２９：集合部、  ３０：モーター、
３０ａ：モーターの主軸、  ４０：一軸偏心ねじポンプ、
４１：ケーシング、  ４１ａ：第一開口部、  ４１ｂ：第二開口部、
４２：ロータ、  ４３：ステータ、  ４３ａ：内孔、
４４：第一自在継手、  ４５：ロッド、  ４６：第二自在継手、
４７：ドライブシャフト、  ５０：サンプル作製キット、
５１：パレット、 ５２ａ〜５２ｆ：化粧品組成物
【図１】
2015004903.tif 000004
【図２】
2015004903.tif 000005
【図３】
2015004903.tif 000006
【図４】
2015004903.tif 000007
【図５】
2015004903.tif 000008
【図６】
2015004903.tif 000009
【図７】
2015004903.tif 000010
【図８】
2015004903.tif 000011
【図９】
2015004903.tif 000012
【図１０】
2015004903.tif 000013
【図１１】
2015004903.tif 000014
【図１２】
2015004903.tif 000015
【手続補正書】
【提出日】平成27年12月18日(2015.12.18)
【手続補正１】
【補正対象書類名】特許請求の範囲
【補正対象項目名】請求項６
【補正方法】変更
【補正の内容】
【請求項６】
請求項１〜５のいずれかに記載の化粧品のオーダーメイドシステムであって、
当該オーダーメイドシステムが、さらに、顧客に供給した複数種の化粧品組成物の残部の分量から、当該各分量となるように調合された化粧品サンプルの色彩を求める残部解析手段を備える、化粧品のオーダーメイドシステム。
【手続補正２】
【補正対象書類名】特許請求の範囲
【補正対象項目名】請求項１９
【補正方法】変更
【補正の内容】
【請求項１９】
請求項１４〜１８のいずれかに記載の化粧品の調合システムであって、
前記配合比設定手段が、前記化粧品組成物の添加量に当該添加量における表色値の各成分の変化量を紐付けたレコードが格納されている変化量データベースと、前記入力手段に入力された色彩の表色値と基準色の表色値との差に基づき、前記変化量データベースから前記化粧品組成物の添加量および前記表色値の各成分の変化量を選択しつつ前記化粧品組成物の添加量を決定することによって配合比を生成するアプリケーションとを備える、化粧品の調合システム。
【手続補正３】
【補正対象書類名】明細書
【補正対象項目名】００８２
【補正方法】変更
【補正の内容】
【００８２】
このような配合比設定手段が変化量データベースを備える方式は、各化粧品組成物について添加量と表色値の変化量との関係を求めることによって変化量データベースを構築できる。このため、効率良く変化量データベースを構築しつつ、色彩の再現性を確保できる。
【手続補正４】
【補正対象書類名】明細書
【補正対象項目名】０１３８
【補正方法】変更
【補正の内容】
【０１３８】
第１のディスペンサには赤色顔料を吐出させ、第２のディスペンサには黄色顔料を吐出させた。本試験では、ケース１〜６を設け、第１のディスペンサの動作時間と第２のディスペンサの動作時間との合計を５秒となるようにしつつ、それぞれの動作時間を変化させた。具体的には、ケース１〜６で、その番号が増加するのに応じて黄色顔料の割合が増加するように、第１のディスペンサの動作時間および第２のディスペンサの動作時間を設定した。得られた混合液の分量は、いずれのケースでも１．１５ｍＬであった。
【国際調査報告】
2015004903.tif 000016
2015004903.tif 000017
2015004903.tif 000018
2015004903.tif 000019